(57)【要約】【課題】無線ＬＡＮアクセスポイントを内蔵したＰＯＳ端末およびＰＯＳシステムを提供する。【解決手段】ＰＯＳ端末１は、無線ＬＡＮアクセス制御部７を内蔵し、表示部４にダイバーシティアンテナ５１，５２とダイバーシティ切替手段６を内蔵する。無線ＬＡＮアクセス制御部７は、サーバ１０から受信したデータをダイバーシティ切替手段６およびダイバーシティアンテナ５１，５２を経由して無線内蔵端末２に送信し、ダイバーシティアンテナ５１，５２およびダイバーシティ切替手段６で受信した無線内蔵端末２からのデータをサーバ１０に送信する。【選択図】　　　図１
2004038719.tif 000002
【特許請求の範囲】
【請求項１】
無線内蔵端末と無線ＬＡＮでデータの送受信を行う無線ＬＡＮアクセスポイントを内蔵することを特徴とするＰＯＳ端末。
【請求項２】
無線内蔵端末との間で電波の送受信を行う送受信用アンテナと、
前記送受信用アンテナを介して無線内蔵端末との間で無線ＬＡＮでのデータ送受信を制御する無線ＬＡＮアクセス制御部と、
を備えることを特徴とするＰＯＳ端末。
【請求項３】
前記送受信用アンテナはダイバーシティ方式のダイバーシティアンテナであり、前記ダイバーシティアンテナを切り替えるダイバーシティ切替手段を備えることを特徴とする請求項２記載のＰＯＳ端末。
【請求項４】
前記ダイバーシティアンテナおよび前記ダイバーシティ切替手段をＰＯＳ処理情報を表示する表示部に設けることを特徴とする請求項３記載のＰＯＳ端末。
【請求項５】
前記ダイバーシティアンテナは前記表示部に内蔵することを特徴とする請求項４記載のＰＯＳ端末。
【請求項６】
前記ダイバーシティアンテナは前記表示部の外側に設けることを特徴とする請求項４記載のＰＯＳ端末。
【請求項７】
前記ダイバーシティアンテナおよび前記ダイバーシティ切替手段をＰＯＳ処理情報を印刷する印刷部に設けることを特徴とする請求項３記載のＰＯＳ端末。
【請求項８】
ＰＯＳ端末との間で無線ＬＡＮでのデータ送受信を行う無線内蔵端末と、
前記無線内蔵端末と無線ＬＡＮでのデータ送受信を行いサーバとの間で有線ＬＡＮでのデータ送受信を行う無線ＬＡＮアクセスポイントを内蔵するＰＯＳ端末と、
前記ＰＯＳ端末との間で有線ＬＡＮでのデータ送受信を行うサーバと、
を備えることを特徴とするＰＯＳシステム。
【請求項９】
ＰＯＳ端末と無線内蔵端末とサーバとを含むＰＯＳシステムであって、
前記ＰＯＳ端末は、
前記無線内蔵端末との間で無線ＬＡＮでのデータ送受信を制御し前記サーバとの間で有線ＬＡＮでのデータ送受信を制御する無線ＬＡＮアクセス制御部と、
前記無線内蔵端末との間で電波の送受信を行う送受信用アンテナと、
前記サーバとの間で有線ＬＡＮで行うデータの送受信を制御するＬＡＮコントローラ部とを備え、
前記無線内蔵端末は、
前記ＰＯＳ端末との間で無線ＬＡＮでのデータ送受信を行う無線データ送受信部を備え、
前記サーバは、
前記ＰＯＳ端末との間で有線ＬＡＮでのデータ送受信を制御するＬＡＮ制御部を備える、
ことを特徴とするＰＯＳシステム。
【請求項１０】
前記送受信用アンテナはダイバーシティ方式のダイバーシティアンテナであり、前記ダイバーシティアンテナを切り替えるダイバーシティ切替手段を備えることを特徴とする請求項９記載のＰＯＳシステム。
【請求項１１】
前記ダイバーシティアンテナおよび前記ダイバーシティ切替手段を前記ＰＯＳ端末内の表示部に設けることを特徴とする請求項１０記載のＰＯＳシステム。
【請求項１２】
前記ダイバーシティアンテナは前記表示部に内蔵することを特徴とする請求項１１記載のＰＯＳシステム。
【発明の詳細な説明】
【０００１】
【発明の属する技術分野】
本発明は、ＰＯＳ端末およびＰＯＳシステムに関し、特に無線ＬＡＮアクセスポイントを内蔵するＰＯＳ端末およびＰＯＳシステムに関する。
【０００２】
【従来の技術】
従来、無線ＬＡＮシステムを用いるＰＯＳ（Ｐｏｉｎｔ　Ｏｆ　Ｓａｌｅｓ）システムでは、ＰＯＳシステムを構築する際に、無線ＬＡＮアクセスポイント（無線ＬＡＮアクセス制御部およびアンテナ部）を天井や壁に取り付け、ＰＯＳシステム運用時に、天井や壁に取り付けられた無線ＬＡＮアクセスポイントを経由して、携帯無線端末とＰＯＳ端末あるいはサーバとの間でデータの送受信を行っている。
【０００３】
【発明が解決しようとする課題】
しかしながら、上述した従来の技術では、無線ＬＡＮアクセスポイントを天井や壁に取り付けるので、そのための設置工事が必要であり、また、ケーブルの這いまわしで店舗の美観を損ねてしまうという問題点があった。
【０００４】
本発明の目的は、上記の問題点を解決し、無線ＬＡＮアクセスポイントの設置工事を不要とし店舗の美観を損ねない、無線ＬＡＮアクセスポイントを内蔵するＰＯＳ端末およびＰＯＳシステムを提供することにある。
【０００５】
【課題を解決するための手段】
本願第１の発明のＰＯＳ端末は、無線内蔵端末と無線ＬＡＮでデータの送受信を行う無線ＬＡＮアクセスポイントを内蔵することを特徴とする。
【０００６】
本願第２の発明のＰＯＳ端末は、無線内蔵端末との間で電波の送受信を行う送受信用アンテナと、前記送受信用アンテナを介して無線内蔵端末との間で無線ＬＡＮでのデータ送受信を制御する無線ＬＡＮアクセス制御部と、を備える。
【０００７】
本願第３の発明のＰＯＳ端末は、第２の発明において前記送受信用アンテナはダイバーシティ方式のダイバーシティアンテナであり、前記ダイバーシティアンテナを切り替えるダイバーシティ切替手段を備える。
【０００８】
本願第４の発明のＰＯＳ端末は、第３の発明において前記ダイバーシティアンテナおよび前記ダイバーシティ切替手段をＰＯＳ処理情報を表示する表示部に設ける。
【０００９】
本願第５の発明のＰＯＳ端末は、第４の発明において前記ダイバーシティアンテナは前記表示部に内蔵することを特徴とする。
【００１０】
本願第６の発明のＰＯＳ端末は、第４の発明において前記ダイバーシティアンテナは前記表示部の外側に設けることを特徴とする。
【００１１】
本願第７の発明のＰＯＳ端末は、第３の発明において前記ダイバーシティアンテナおよび前記ダイバーシティ切替手段をＰＯＳ処理情報を印刷する印刷部に設ける。
【００１２】
本願第８の発明のＰＯＳシステムは、ＰＯＳ端末との間で無線ＬＡＮでのデータ送受信を行う無線内蔵端末と、前記無線内蔵端末と無線ＬＡＮでのデータ送受信を行いサーバとの間で有線ＬＡＮでのデータ送受信を行う無線ＬＡＮアクセスポイントを内蔵するＰＯＳ端末と、前記ＰＯＳ端末との間で有線ＬＡＮでのデータ送受信を行うサーバと、を備える。
【００１３】
本願第９の発明のＰＯＳシステムは、ＰＯＳ端末と無線内蔵端末とサーバとを含むＰＯＳシステムであって、前記ＰＯＳ端末は、前記無線内蔵端末との間で無線ＬＡＮでのデータ送受信を制御し前記サーバとの間で有線ＬＡＮでのデータ送受信を制御する無線ＬＡＮアクセス制御部と、前記無線内蔵端末との間で電波の送受信を行う送受信用アンテナと、前記サーバとの間で有線ＬＡＮで行うデータの送受信を制御するＬＡＮコントローラ部とを備え、前記無線内蔵端末は、前記ＰＯＳ端末との間で無線ＬＡＮでのデータ送受信を行う無線データ送受信部を備え、前記サーバは、前記ＰＯＳ端末との間で有線ＬＡＮでのデータ送受信を制御するＬＡＮ制御部を備える。
【００１４】
本願第１０の発明のＰＯＳシステムは、第９の発明において前記送受信用アンテナはダイバーシティ方式のダイバーシティアンテナであり、前記ダイバーシティアンテナを切り替えるダイバーシティ切替手段を備える。
【００１５】
本願第１１の発明のＰＯＳシステムは、第１０の発明において前記ダイバーシティアンテナおよび前記ダイバーシティ切替手段を前記ＰＯＳ端末内の表示部に設ける。
【００１６】
本願第１２の発明のＰＯＳシステムは、第１１の発明において前記ダイバーシティアンテナは前記表示部に内蔵することを特徴とする。
【００１７】
【発明の実施の形態】
本発明のＰＯＳ端末およびＰＯＳシステムは、無線内蔵端末用として使用する無線ＬＡＮアクセスポイントをＰＯＳ端末に設けることを特徴としている。これにより、無線ＬＡＮアクセスポイントの設置工事費用を不要とし、ケーブルの這いまわしで店舗内部の美観を損ねてしまうのを防ぎ、最適な無線ＬＡＮ環境を提供するものである。
【００１８】
本発明の実施の形態の構成について、図面を参照して詳細に説明する。
図１は、本発明の実施の形態の構成を示す図である。
【００１９】
図１を参照すると、本発明の実施の形態は、ＰＯＳ端末１と、無線内蔵端末２と、ハブ９と、サーバ１０と、ネットワーク１１と、を備えている。
【００２０】
ＰＯＳ端末１は、プログラム制御で動作し、ＰＯＳ処理、売上登録や顧客情報のサーバ１０への送信、サーバ１０から売上登録に必要なデータのダウンロード、無線内蔵端末２とのデータ送受信、等を行う。ＰＯＳ端末１は、表示部４と、無線ＬＡＮアクセス制御部７と、ＬＡＮコントローラ部８とを備え、また、レシート等のＰＯＳ処理情報を印刷出力する印刷部（図示せず）と、入力操作用のキーボード（図示せず）と、商品に付いているバーコードを読み込むバーコードスキャナ（図示せず）と、記憶装置（図示せず）に格納されるプログラムに基づいて処理を実行するとともにＰＯＳ端末１を制御するＰＯＳ処理部（図示せず）と、を含んでいる。
【００２１】
表示部４は、ＰＯＳ端末１で実行するＰＯＳ処理の結果等の情報を顧客用およびオペレータ用に表示する装置である。表示部４は、ダイバーシティアンテナ（ダイバーシティアンテナ５１およびダイバーシティアンテナ５２）とダイバーシティ切替手段６を含む。
【００２２】
ダイバーシティアンテナ（ダイバーシティアンテナ５１およびダイバーシティアンテナ５２）は、ダイバーシティ（ｄｉｖｅｒｓｉｔｙ）方式のアンテナで、表示部４内に内蔵され、無線内蔵端末２の無線データ送受信部３とデータの送受信を行う。すなわち、ダイバーシティアンテナから送信されたデータは、無線内蔵端末２で受信される。また、ダイバーシティアンテナで受信されたデータは、無線ＬＡＮアクセス制御部７およびハブ９を経由してサーバ１０へ送信される。本例では、ダイバーシティアンテナを２個（ダイバーシティアンテナ５１およびダイバーシティアンテナ５２）設けているが、無線内蔵端末２を使用する環境に応じて、ダイバーシティアンテナを３個以上設け、ダイバーシティ切替手段６で切り替えるようにしてもよい。
【００２３】
ダイバーシティ切替手段６は、受信時には、ダイバーシティアンテナ５１とダイバーシティアンテナ５２の受信レベルを検出し、検出状態に応じて受信レベルの高い方から受信するように、受信アンテナをダイバーシティアンテナ５１あるいはダイバーシティアンテナ５２に切り替える。送信時には、切り替えは行わず、ダイバーシティアンテナ５１とダイバーシティアンテナ５２の両方から送信される。
【００２４】
無線ＬＡＮアクセス制御部７は、ＰＯＳ端末１に内蔵され、ハブ９とネットワーク１１とを経由してサーバ１０と接続し、一方、ダイバーシティ切替手段６およびダイバーシティアンテナを経由して無線ＬＡＮで無線内蔵端末２と接続する。無線ＬＡＮアクセス制御部７は、無線内蔵端末２とサーバ１０との間のデータ送受信を制御する。すなわち、サーバ１０から受信したデータを無線内蔵端末２に送信し、無線内蔵端末２から受信したデータをサーバ１０に送信する。また、無線ＬＡＮアクセス制御部７は、ＬＡＮコントローラ部８との間でデータのやり取りを行う機能を有するようにしてもよい。
【００２５】
ＬＡＮコントローラ部８は、ＰＯＳ端末１とサーバ１０との間のデータ送受信を制御する。ＬＡＮコントローラ部８は、ハブ９とネットワーク１１とを経由してサーバ１０と接続し、ＰＯＳ端末１内のＰＯＳ処理部（図示せず）からのデータをサーバ１０に送信し、サーバ１０からのデータをＰＯＳ処理部（図示せず）に送出する。
【００２６】
無線内蔵端末２は、店舗の陳列棚にある商品在庫の確認などに使用する装置で、例えばＰＤＡ（Ｐｅｒｓｏｎａｌ　Ｄｉｇｉｔａｌ　Ａｓｓｉｓｔａｎｔｓ）等の携帯情報端末である。無線内蔵端末２は、無線ＬＡＮでダイバーシティアンテナとの間でデータの送受信を行う無線データ送受信部３を含む。
【００２７】
サーバ１０は、ＰＯＳ端末１との間でハブ９とネットワーク１１を介して行うデータの送受信を制御するＬＡＮ制御部（図示せず）を備える。ＬＡＮ制御部は、無線ＬＡＮアクセス制御部７あるいはＬＡＮコントローラ部８との間でデータの送受信を行う。
【００２８】
ネットワーク１１は、サーバ１０とＰＯＳ端末１とをハブ９を介して接続する通信網である。例えば、有線のローカルエリアネットワーク（ＬＡＮ）等である。
【００２９】
次に、本発明の実施の形態の動作について、図１を参照して詳細に説明する。ここでは、コンビニエンスストア店舗を例にして説明する。
【００３０】
図１を参照すると、ＰＯＳ端末１は、ＰＯＳ処理を行い、売上登録や顧客情報をＬＡＮコントローラ部８からハブ９を経由してネットワーク１１を通してサーバ１０へ送信する。
【００３１】
また、ＰＯＳ端末１は、売上登録等のＰＯＳ処理に必要なデータをサーバ１０からダウンロードする。
【００３２】
他方、店舗の陳列棚にある商品在庫の確認などで使用する無線内蔵端末２で登録された在庫情報データは、無線データ送受信部３からＰＯＳ端末１の表示部４に内蔵されるダイバーシティアンテナへ送信され、無線ＬＡＮアクセス制御部７を通してサーバ１０へ送信される。
【００３３】
また、逆に、商品情報等はサーバ１０から無線ＬＡＮアクセス制御部７を経由してダイバーシティアンテナから無線内蔵端末２の無線データ送受信部３へ送付され、無線内蔵端末２へ取り込まれる。
【００３４】
このように、ＰＯＳ端末１に無線ＬＡＮアクセス制御部７を内蔵することで、従来、天井や壁に無線ＬＡＮアクセス制御部７を設置していた工事が不要となり工事費用を削減するだけでなく、ＬＡＮケーブル及びＡＣケーブルの這いまわしで美観を損ねてしまうのを防ぐことができる。また、表示部４にダイバーシティアンテナを内蔵することで、外観を損ねずに無線内蔵端末２に対し最適な電波状態を提供することができる。これは、表示部４がＰＯＳ端末１の上部に位置するため、無線内蔵端末２から天井に当てられた送信データを受信しやすいからである。
【００３５】
上述した実施の形態では、ＰＯＳ端末の表示部にダイバーシティアンテナを内蔵しているが、他の実施の形態として、表示部の外側にダイバーシティアンテナを設けるようにしてもよい。こうすることにより、ダイバーシティアンテナが送受信する電波レベルがより高くなり、より感度のよい通信ができる。
【００３６】
また、上述した実施の形態では、ＰＯＳ端末の表示部にダイバーシティアンテナとダイバーシティ切替部を設けているが、他の実施の形態として、ＰＯＳ端末の印刷部にダイバーシティアンテナとダイバーシティ切替部を設けるようにしてもよい。
【００３７】
また、他の実施の形態として、ＰＯＳ端末本体の上部にダイバーシティアンテナとダイバーシティ切替部を設けるようにしてもよい。
【００３８】
【発明の効果】
第１の効果は、天井や壁に取り付けるための設置工事が不要となり工事費用を削減することができること、また、ケーブルの這いまわしで美観を損ねるのを防ぐことができることである。
【００３９】
その理由は、無線ＬＡＮアクセス制御部とダイバーシティアンテナをＰＯＳ端末に内蔵するようにしたからである。
【００４０】
第２の効果は、無線内蔵端末に対して、最適な電波状態を提供することができることである。
【００４１】
その理由は、ＰＯＳ端末の表示部にダイバーシティアンテナを内蔵するようにしたからである。
【図面の簡単な説明】
【図１】本発明の実施の形態の構成を示す図
【符号の説明】
１　　ＰＯＳ端末
２　　無線内蔵端末
３　　無線データ送受信部
４　　表示部
６　　ダイバーシティ切替手段
７　　無線ＬＡＮアクセス制御部
８　　ＬＡＮコントローラ部
９　　ハブ
１０　　サーバ
１１　　ネットワーク
５１　　ダイバーシティアンテナ
５２　　ダイバーシティアンテナ
【図１】
2004038719.tif 000003